(57)【要約】      （修正有）【課題】太陽光パネルをベランダの外部の全面に展開できるようにすると共に、太陽光パネルをつかわないときはベランダの内部に収納できるようにする。【解決手段】ベランダ内に設置された左支柱Ｄ１と右支柱Ｄ２を有する筐体Ｄと、複数の太陽光パネルと、左支柱Ｄ１と右支柱Ｄ２に沿って垂直移動し、且つ水平方向に太陽光パネルを移動させる移動ユニットＳと、各太陽光パネル間を接続する接続部を備えた、太陽光パネル収納式架台。【選択図】図１
2013110240.tif 000002
【特許請求の範囲】
【請求項１】
ベランダに、左支柱Ｄ１と右支柱Ｄ２を設けた筐体Ｄと、カスケードに連結された複数の太陽光パネルと、左支柱Ｄ１と右支柱Ｄ２に沿って垂直移動し、且つ水平方向に太陽光パネルを移動させる移動ユニットＳと、各太陽光パネル間をカスケードに連結させ接続する接続部を備え、移動ユニットは、左支柱Ｄ１又は右支柱Ｄ２に沿って垂直方向に移動させるためのモータを有する垂直移動部と、連結された複数の太陽光パネルのいずれかに接続し、連結された太陽光パネルを水平方向に移動させるモーターを備えた水平移動部からなり、太陽光パネルを展開するときは連結された太陽光パネルを折り畳んで、壁Ｆ２の内側の下部に収納した状態から、移動ユニツトＳにより天井の方向に上昇し壁を越えた後、移動ユニツトＳで水平移動して壁Ｆ２の外側の方向に移動し、太陽光パネルを天井に当らないように開き、移動ユニツトＳでベランダの高さの中ほどに下降し、折り畳んだ太陽パネルをベランダの壁の外に複数の太陽光パネルを垂直に展開し、太陽光パネルを収容するとき、その展開状態から、展開した連結された太陽光パネルを折りたたんで移動ユニツトＳを上昇させ、連結した太陽パネルが天井に当らないようにし、移動ユニツトＳで天井の方向に上昇し壁を越え、連結した太陽パネルを折り畳み、折り畳んだ複数の太陽パネルを移動ユニツトＳで水平移動して壁Ｆ２の内側の方向に壁Ｆ２を越え移動し、折り畳んで連結した太陽パネルを移動ユニツトＳで床の方向に降下し壁Ｆ２の下の方に連結した太陽パネルを収納できるようにしたことを特徴とする太陽光パネル収納式架台。
【請求項２】
ベランダに、左支柱Ｄ１と右支柱Ｄ２を設けた筐体Ｄと、３つの太陽光パネルＡ、Ｂ，Ｃと、左支柱Ｄ１と右支柱Ｄ２に沿って垂直移動し、且つ水平方向に太陽光パネルを移動させる移動ユニットＳと、太陽光パネルＡとＢを接続する接続部Ｅ１と、太陽光パネルＢとＣを接続する接続部Ｅ２とを備え、
移動ユニットは、左支柱Ｄ１又は右支柱Ｄ２に沿って垂直方向に移動させるためのモータを有する垂直移動部と、太陽光パネルＢを接続され、太陽光パネルＢ及び、それに取り付けた太陽光パネルＡ，Ｃを水平方向に移動させるモーターを備えた水平移動部からなり、
太陽光パネルＡとＢを接続するモータを組み込み回動できる接続部Ｅ１と、太陽光パネルＢとＣを接続するモータを組み込み回動できる接続部Ｅ２を備え、
太陽パネルＡ，Ｂ，Ｃを折り畳んで、壁Ｆ２の内側の下部に収納した状態から、移動ユニツトＳにより天井の方向に上昇し壁を越えた後、移動ユニツトＳで水平移動して壁Ｆ２の外側の方向に移動し、太陽光パネルＡを壁Ｆ２内側の方向に接続部Ｅ１を支点として太陽パネルＡを開いたとき天井に当らないように回動し太陽光パネルＢの裏側から開き、太陽パネルＣを壁Ｆ２内側の方向に接続部Ｅ２を支点として回動し、太陽光パネルＢの表側で開いた状態で、移動ユニツトＳでベランダの高さの中ほどに下降し太陽パネルＡを接続部Ｅ１を支点として回動し太陽パネルＢの上部の方向に垂直に展開し、太陽光パネルＣを接続部Ｅ２を支点として回動し太陽パネルＢの下部の方向に垂直に展開してベランダの壁の外に太陽光パネルＡ、Ｂ，Ｃを垂直に展開でき、
その展開状態から、太陽光パネルＡを接続部Ｅ１を支点として回動し太陽パネルＢの裏側の方向に壁Ｆ２の内側に当らないように折り畳み、
下段太陽光パネルＣを接続部Ｅ２を支点として回動し太陽パネルＢの正面に折り畳み、  移動ユニツトＳが上昇した時太陽パネルＡが天井に当らないようにし、移動ユニツトＳで天井の方向に上昇し壁を越えた後、太陽パネルＡを接続部Ｅ１を支点として回動し太陽パネルＢの裏側に折り畳み、太陽パネルＣを接続部Ｅ２を支点として回動し太陽パネルＢの表側に折り畳み、折り畳んだ太陽パネルＡ，Ｂ，Ｃを移動ユニツトＳで水平移動して壁Ｆ２の内側の方向に壁Ｆ２を越え移動し、太陽パネルＡ，Ｂ，Ｃを移動ユニツトＳで床の方向に降下し壁Ｆ２の下の方に太陽パネルＡ，Ｂ，Ｃを収納できるようにしたことを特徴とする太陽光パネル収納式架台。
【発明の詳細な説明】
【技術分野】
【０００１】
本発明は、太陽光パネルを、ベランダに取り付け収納する架台に関する。
【背景技術】
【０００２】
従来、ベランダに太陽光パネルを取り付ける方法はある。(例えば、特許文献１参照)天井に取り付けるため太陽光パネルをベランダ全面に備える事が出来ない。
【先行技術文献】
【特許文献】
【０００３】
【特許文献１】特開２０１１−１７３０２１号公報
【発明の概要】
【発明が解決しようとする課題】
【０００４】
従来、太陽光パネルをベランダの天井に取り付ける金物はあるが、天井に取り付けるため太陽光パネルをベランダ全面に備える事が出来なく、発電量は低かった。
【課題を解決するための手段】
【０００５】
ベランダに、左支柱Ｄ１と右支柱Ｄ２を設けた筐体Ｄと、カスケードに連結された複数の太陽光パネルと、左支柱Ｄ１と右支柱Ｄ２に沿って垂直移動し、且つ水平方向に太陽光パネルを移動させる移動ユニットＳと、各太陽光パネル間をカスケードに連結させ接続する接続部を備え、移動ユニットは、左支柱Ｄ１又は右支柱Ｄ２に沿って垂直方向に移動させるためのモータを有する垂直移動部と、連結された複数の太陽光パネルのいずれかに接続し、連結された太陽光パネルを水平方向に移動させるモーターを備えた水平移動部からなり、太陽光パネルを展開するときは連結された太陽光パネルを折り畳んで、壁Ｆ２の内側の下部に収納した状態から、移動ユニツトＳにより天井の方向に上昇し壁を越えた後、移動ユニツトＳで水平移動して壁Ｆ２の外側の方向に移動し、太陽光パネルを天井に当らないように開き、移動ユニツトＳでベランダの高さの中ほどに下降し、折り畳んだ太陽パネルをベランダの壁の外に複数の太陽光パネルを垂直に展開し、太陽光パネルを収容するときはその展開状態から、展開した連結された太陽光パネルを折りたたんで移動ユニツトＳが上昇し、連結した太陽パネルが天井に当らないようにし、移動ユニツトＳで天井の方向に上昇し壁を越え、連結した太陽パネルを折り畳み、折り畳んだ複数の太陽パネルを移動ユニツトＳで水平移動して壁Ｆ２の内側の方向に壁Ｆ２を越え移動し、折り畳んで連結した太陽パネルを移動ユニツトＳで床の方向に降下し壁Ｆ２の下の方に連結した太陽パネルを収納できるようにしたことを特徴とする太陽光パネル収納式架台である。
【０００６】
ベランダに、左支柱Ｄ１と右支柱Ｄ２を設けた筐体Ｄと、３つの太陽光パネルＡ、Ｂ，Ｃと、左支柱Ｄ１と右支柱Ｄ２に沿って垂直移動し、且つ水平方向に太陽光パネルを移動させる移動ユニットＳと、太陽光パネルＡとＢを接続する接続部Ｅ１と、太陽光パネルＢとＣを接続する接続部Ｅ２とを備え、
移動ユニットは、左支柱Ｄ１又は右支柱Ｄ２に沿って垂直方向に移動させるためのモータを有する垂直移動部と、太陽光パネルＢを接続され、太陽光パネルＢ及び、それに取り付けた太陽光パネルＡ，Ｃを水平方向に移動させるモーターを備えた水平移動部からなり、
太陽光パネルＡとＢを接続するモータを組み込み回動できる接続部Ｅ１と、太陽光パネルＢとＣを接続するモータを組み込み回動できる接続部Ｅ２を備え、
太陽パネルＡ，Ｂ，Ｃを折り畳んで、壁Ｆ２の内側の下部に収納した状態から、移動ユニツトＳにより天井の方向に上昇し壁を越えた後、移動ユニツトＳで水平移動して壁Ｆ２の外側の方向に移動し、太陽光パネルＡを壁Ｆ２内側の方向に接続部Ｅ１を支点として太陽パネルＡを開いたとき天井に当らないように回動し太陽光パネルＢの裏側から開き、太陽パネルＣを壁Ｆ２内側の方向に接続部Ｅ２を支点として回動し、太陽光パネルＢの表側で開いた状態で、移動ユニツトＳでベランダの高さの中ほどに下降し太陽パネルＡを接続部Ｅ１を支点として回動し太陽パネルＢの上部の方向に垂直に展開し、太陽光パネルＣを接続部Ｅ２を支点として回動し太陽パネルＢの下部の方向に垂直に展開してベランダの壁の外に太陽光パネルＡ、Ｂ，Ｃを垂直に展開でき、
その展開状態から、太陽光パネルＡを接続部Ｅ１を支点として回動し太陽パネルＢの裏側の方向に壁Ｆ２の内側に当らないように折り畳み、
下段太陽光パネルＣを接続部Ｅ２を支点として回動し太陽パネルＢの正面に折り畳み、  移動ユニツトＳが上昇した時太陽パネルＡが天井に当らないようにし、移動ユニツトＳで天井の方向に上昇し壁を越えた後、太陽パネルＡを接続部Ｅ１を支点として回動し太陽パネルＢの裏側に折り畳み、太陽パネルＣを接続部Ｅ２を支点として回動し太陽パネルＢの表側に折り畳み、折り畳んだ太陽パネルＡ，Ｂ，Ｃを移動ユニツトＳで水平移動して壁Ｆ２の内側の方向に壁Ｆ２を越え移動し、太陽パネルＡ，Ｂ，Ｃを移動ユニツトＳで床の方向に降下し壁Ｆ２の下の方に太陽パネルＡ，Ｂ，Ｃを収納できるようにしたことを特徴とする太陽光パネル収納式架台。
【発明の効果】
【０００７】
１)集合住宅のベランダの壁の外側の全面に太陽光パネルを取り付けることができるので発電効率が高い。
２)ベランダの壁の外側に展開して太陽電池パネルを、ベランダの壁の内側に、完全に収納する事が出来る。台風などの悪天候で被害をうけることがなくなる。
３)収納式架台にする事により取り付け工事が簡単になりベランダ内側で工事が施工出来るので安全対策費が安価ですむ。
４)収納式架台にする事により点検補修、清掃が簡単に出来る。
【図面の簡単な説明】
【０００８】
【図１】本発明の太陽光パネル収納式架台の構成(全面展開正面図)
【図２】本発明の太陽光パネル収納式架台の構成(折り畳み収納図)
【図３】本発明の太陽光パネル収納式架台の移動ユニットの構成
【図４】本発明の太陽光パネル収納式架台の移動ユニット接続部の構成
【図５】本発明の太陽光パネル収納式架台の構成(全面展開側面図)
【図６】本発明の太陽光パネル収納式架台の動作(太陽パネルＡ，Ｃの折りこみ)
【図７】本発明の太陽光パネル収納式架台の動作(太陽パネルＡ，Ｂ、Ｃの上昇図)
【図８】本発明の太陽光パネル収納式架台の動作(パネルＡ，Ｃの折り畳み図)
【図９】本発明の太陽光パネル収納式架台の動作(パネルＡ，Ｂ，Ｃの移動図)
【図１０】本発明の太陽光パネル収納式架台の動作(パネルＡ，Ｂ，Ｃの収納図)
【図１１】太陽光パネルＡ、Ｂ、Ｃ、Ｄの収納式架台の構成(全面展開側面図)
【図１２】太陽光パネルＡ、Ｂ、Ｃ、Ｄの収納式架台の構成(折り畳み収納側面図)
【発明を実施するための形態】
【０００９】
太陽光パネルをベランダ内部に収納出来る構造を備える事により、昼間、太陽が降り注ぐ時はベランダの外部の全面に展開して発電し電気を得る事ができ、ベランダ内部で洗濯ものを干す事ができる。夜になるとベランダ内部に収納し夜景を眺める事が出来、台風、暴風、雨の時もベランダ内部に収納することで太陽パネルを保護し太陽光パネルの落下や破損を無くし安全を確保できる。
【００１０】
本発明の太陽光パネルの収納式架台の基本動作を説明する。
ベランダに、左支柱Ｄ１と右支柱Ｄ２を設けた筐体Ｄと、カスケードに連結された複数の太陽光パネルと、左支柱Ｄ１と右支柱Ｄ２に沿って垂直移動し、且つ水平方向に太陽光パネルを移動させる移動ユニットＳと、各太陽光パネル間を連結させ接続する接続部を備え、
移動ユニットは、左支柱Ｄ１又は右支柱Ｄ２に沿って垂直方向に移動させるためのモータを有する垂直移動部と、カスケードに連結された複数の太陽光パネルのいずれかに接続され、連結された太陽光パネルを水平方向に移動させるモーターを備えた水平移動部からなり、連結された太陽光パネルを折り畳んで、壁Ｆ２の内側の下部に収納した状態から移動ユニツトＳにより天井の方向に上昇し壁を越えた後、移動ユニツトＳで水平移動して壁Ｆ２の外側の方向に移動し、太陽光パネルを天井に当らないように展開し又は折り畳みながら移動ユニツトＳでベランダの高さの中ほどに下降し、折り畳んだ太陽パネルをベランダの壁の外に複数の太陽光パネルを垂直に展開し
その展開状態から、展開したカスケードに連結された太陽光パネルを折りこんで
移動ユニツトＳが上昇した時、連結した太陽パネルが天井に当らないようにし、移動ユニツトＳで天井の方向に上昇し壁を越えた後、太陽パネルを折り畳みながら又は折り畳んだ複数の太陽パネルを移動ユニツトＳで水平移動して壁Ｆ２の内側の方向に壁Ｆ２を越え移動し、折り畳んで連結した太陽パネルを移動ユニツトＳで床の方向に降下し壁Ｆ２の下の方に連結した太陽パネルを収納できるようにしたことを特徴とする太陽光パネル収納式架台である。
【００１１】
以下、本発明の太陽光パネルがＡ、Ｂ、Ｃの３つである場合について展開、収納を電動で動作させる場合について説明する。
図１、２は本発明の太陽光パネル収納式架台（太陽光パネルの数が３個のとき）の構成を示す。
ベランダの壁の外に３つの太陽光パネルＡ、Ｂ、Ｃを展開し、壁の内側に３つの太陽光パネルＡ、Ｂ，Ｃを収容するための太陽光パネル収納式架台Ｋである。
ベランダに、左支柱Ｄ１と右支柱Ｄ２を設けた筐体Ｄと、３つの太陽光パネルＡ、Ｂ，Ｃと、その左支柱Ｄ１と右支柱Ｄ２に沿って垂直移動し、且つ水平方向に太陽光パネルを移動させる移動ユニットＳと、太陽光パネルＡとＢを接続する接続部Ｅ１と、太陽光パネルＢとＣを接続する接続部Ｅ２とを備える。
移動ユニットは、左支柱Ｄ１又は右支柱Ｄ２に沿って垂直方向に移動させるためのモータを有する垂直移動部と、太陽電光パネルＢに接続され、太陽光パネルＢ及び、それに取り付けた太陽光パネルＡ，Ｃを水平方向に移動させるモーターを備えた水平移動部からなる。
太陽光パネルＡとＢを接続する接続部Ｅ１と、太陽光パネルＢとＣを接続する接続部Ｅ２には、夫々モータを組み込み回動できる。
図２は、３つの太陽光パネルをベランダの壁の内側ベランダの壁の内側に、太陽光パネルをＣ、Ｂ、Ａの順に折り畳んだ状態を示す。このように折り畳んで、収納することでベランダを広く使えるようにしている。
上述した移動ユニットＳの垂直方向と水平方向の移動と、接続部Ｅ１と接続部Ｅ２を支点とする太陽光パネルの回動を制御することにより、図１に示すように太陽光パネルを展開した状態から、図２に示す状態に折り畳んで壁の内側に収納し、逆の順番で、図２の折り畳んで壁の内側に収納した状態から、図１に示すように太陽光パネルを展開できる。
【００１２】
図３は、太陽光パネル収納式架台の移動ユニットの構成を示す。
移動ユニットＳは、左支柱Ｄ１又は右支柱Ｄ２に沿って垂直方向に移動させるためのモータを有する垂直移動部Ｓ１と、太陽光パネルＢを接続され、太陽光パネルＢを水平方向に移動させるモーターを備えた水平移動部Ｓ２からなる。
垂直移動部は、筒体Ｄの支柱Ｄ１、Ｄ２を貫通した四角上の筒型である垂直移動部本体Ｓ１３その外側に昇降移動モータＳ１１、内側にギアＳ１２が内臓されている。昇降移動モータＳ１１を駆動すると、ギアーＳ１２が回転し、支柱に取り付けた垂直ガイドＧ1に噛み合って上昇、下降する。
水平移動部Ｓ２は、垂直移動部本体Ｓ１３の途中から水平方向に伸びた四角状の筒型である水平本体部Ｓ２３とそれに内接して水平に移動する水平支柱部Ｓ２０からなる。水平支柱部の外側の端部は太陽光パネルＢのフレームに固定している、水平支柱部Ｓ２０は四角状の筒体で水平本体部Ｓ２３で水平移動モータＳ２１をギアＳ２２と、水平ガイドＳ２３１を備える。水平移動モータＳ２１によりギアＳ２２が駆動し、ギアが水平ガイドＳ２３１に噛み合って水平支持部Ｓ２０が水平方向に移動する。水平支柱部Ｓ２０の端部には、太陽光パネルに固定している。
昇降移動モーターＳ１を駆動すると、太陽光パネルＡ、Ｂ、Ｃを垂直シャフトＧ１にそって上昇下降し、水平移動モーターＳ２を駆動すると、太陽光パネルＡ，Ｂ，Ｃを水平シャフトＧ２にそって水平方向に移動する。
【００１３】
図４は接続部の構成を示す。
(ａ)裏側から見た図、(ｂ)側面図を示す。
接続部Ｅ１は、接続モータＥ１３、モータシャフトＥ１１、取付金具Ｅ１２からなり、シャフトＥ１１が太陽光パネルＡに取付金具Ｅ１４により固定され、太陽光パネルＢにモータＥ１３が取付金具Ｅ１２により固定される。モータＥ１３が駆動されると、モータシャフトが回転し、パネルＡがパネルＢの裏側の方向に反時計まわりに回転する。
接続部Ｅ２は、接続モータＥ２３、モータシャフトＥ２１、取付金具Ｅ２２からなりシャフトＥ２１が太陽光パネルＣに接続金具２４により固定され、取付金具Ｅ２２で、パネルＢにモータＥ２３を固定する。モータＥ２３が駆動されると、モータシャフトが回転し、パネルＣがパネルＢの表側の方向に反時計まわりに回転する。
【実施例１】
【００１４】
以下、太陽光パネルＡ、Ｂ、Ｃの３つの場合の実施例について述べる。
太陽光パネルＡ、Ｂ、Ｃ、の収納状態から展開する動作概要を説明する。
太陽パネルＡ、Ｂ、Ｃを折り畳み壁Ｆ２の内側の下部に収納した状態から、太陽パネルＡ，Ｂ，Ｃを移動ユニツトＳにより天井の方向に上昇し壁を越えた位置で停止させ移動ユニツトＳで水平移動して壁Ｆ２の外側の方向に移動し太陽光パネルＡを壁Ｆ２内側の方向に接続部をＥ１支点として天井に当らないように回動して太陽光パネルＢの裏側で開き、太陽パネルＣを壁Ｆ２内側の方向に接続部をＥ２支点として回動し太陽光パネルＢの表側で開いた状態で、太陽光パネルＡ、Ｂ，Ｃを移動ユニツトＳでベランダの高さの中ほどに下降させ太陽光パネルＢの上部の方向に垂直に太光陽パネルＡを展開し、下段太陽光パネルＣを接続部Ｅ２を支点として回動させ太陽パネルＢの下部の方向に垂直に展開し、ベランダの壁の外に３つの太陽光パネルＡ、Ｂ，Ｃを垂直に展開する。 
太陽光パネルＡ、Ｂ、Ｃ、の展開状態から収納する動作概略を説明する。
太陽光パネルＡ、Ｂ，Ｃをベランダの開口部と壁の全面に展開しているときは、太陽光パネルＡ、Ｂ，Ｃは垂直に直線状に接続部，Ｅ１、Ｅ２で固定されている。その状態において太陽光パネルＡを接続部Ｅ１を支点として回動し太陽パネルＢの裏側の方向に壁Ｆ２の内側に当らないように折りこみ下段太陽光パネルＣを接続部Ｅ２を支点として回動し太陽パネルＢの正面に折りこみ、移動ユニツトＳが上昇した時太陽パネルＡが天井に当らないようにし太陽パネルＡ、Ｂ，Ｃを移動ユニツトＳで天井の方向に上昇し壁を越えた位置で停止し太陽パネルＡを接続部Ｅ１を支点として回動し太陽パネルＢの裏側に折り畳み、太陽パネルＣを接続部Ｅ２を支点として回動し太陽パネルＢの表側に折り畳み、折り畳んだ太陽パネルＡ，Ｂ，Ｃを移動ユニツトＳで水平移動して壁Ｆ２の内側の方向に壁Ｆ２を越え移動し、太陽パネルＡ，Ｂ，Ｃを移動ユニツトＳで床の方向に降下し壁Ｆ２の下の方に太陽パネルＡ，Ｂ，Ｃを収納する。
【００１５】
図５から図１０は、３つの太陽電池パネルをベランダの開口部のベランダの壁Ｆ２の外側に全面に展開した状態から、ベランダの壁Ｆ２の内側に収容するための本発明の太陽光パネル収納式架台の詳細の動作を示す。図５は折り畳む前の側面図、図６は、上段太陽光パネルＡ，下段太陽光パネルＣの折り畳み動作、図７は太陽光パネルＡ，Ｂ，Ｃの上昇、図８は太陽光パネルＡ、Ｃの折り畳み、図９は太陽光パネルＡ，Ｂ，Ｃの移動、図１０は太陽光パネルＡ，Ｂ，Ｃの下降によりベランダ内部に収納した状態を示す。
【００１６】
図５は、３つの太陽パンネルＡ、Ｂ，Ｃが展開された状態の側面図である。
太陽光パネルＡ、Ｂ，Ｃはベランダの開口部の全面に、夫々、上段、中段、下段に配置される。太陽光パネルＡと太陽光パネルＢは接続部Ｅ１で連結され、太陽光パネルＢと太陽光パネルＣ接続部でＥ２連結されている。図５のように太陽光パネルＡ、Ｂ，Ｃをベランダの開口部と壁の全面に展開しているときは、太陽光パネルＡ、Ｂ，Ｃは垂直に直線状に接続部Ｅ１、Ｅ２で垂直に固定され、移動ユニツトＳの水平支持部Ｓ３により太陽光パネルＢを垂直に支えて固定する。
【００１７】
図６は、太陽光パネルＡを接続部Ｅ１を支点として反時計まわりにＰ２の方向に、太陽光パネルＣを接続部Ｅ２を支点として反時計まわりにＰ１の方向に回動し太陽パネルＢに折りこんだ状態を示す。このように折り畳むのは、次の述べるように壁を乗り越えるために上昇移動させる時に天井に当らないようにするためである。
【００１８】
図７は、太陽パネルＡ、Ｂ，Ｃを移動ユニツトＳに内蔵した昇降モーターＳ１でＰ３の方向に垂直ガイドＧ１にそって上昇する。
【００１９】
図８は、上昇し太陽パネルＡを接続部Ｅ１を支点として回動し太陽パネルＢの裏側にＰ４の方向に折り畳み、太陽パネルＣを接続部Ｅ２を支点として回動し太陽パネルＢの表側にＰ５の方向に折り畳む。
【００２０】
図９は、折り畳んだ太陽パネルＡ，Ｂ，Ｃを移動ユニツトＳに接続した水平移動モーターＳ２で壁Ｆ２の内側の方向にＰ６の方向に水平ガイドＳ２３１に沿ってベランダの壁を越えてベランダ窓側に横移動させる。
【００２１】
図１０は、折り畳み壁Ｆ２の内側の方向に横移動した太陽パネルＡ，Ｂ，Ｃを移動ユニツトＳに接続した昇降移動モーターＳ１で垂直ガイドＧ１そってＰ７の方向に降下し壁Ｆ２下部の方向に収納した状態である。
【００２２】
以上は、太陽光パネルを収納するステップを示したが、次に太陽光パネルを展開する動作を示す。
図１０において壁Ｆ２の内側の下部に収納した太陽パネルＡ，Ｂ，Ｃを移動ユニツトＳに接続した昇降移動モーターＳ１で垂直ガイドＧ１を利用してＲ１の方向に上昇し図９のように壁を越えた位置で停止させる。
【００２３】
次は、太陽パネルＡ，Ｂ，Ｃを移動ユニツトＳに接続した水平移動モーターＳ２で壁Ｆ２の外側にＲ２の方向に水平ガイドＧ２にそって水平支柱部Ｓ２０を右方向に壁を越えるまで図８のように伸ばす。
【００２４】
壁を横移動した太陽パネルＡを図７のようにＲ３の方向に接続部Ｅ１を支点として回動し、太陽パネルＢの裏側で天井に当らないように開き、太陽パネルＣをＲ４の方向に接続部Ｅ２を支点として回動し、太陽パネルＢの表側で開いた状態で太陽パネルＡ、Ｂ，Ｃを移動ユニツトＳに内蔵した昇降移動モーターＳ１でＲ５の方向に垂直ガイドＧ１にそって下降させる。
【００２５】
図６のＲ５の方向にシャフトガイドＧ１にそって下降し停止した太陽パネルＡ，を接続部を支Ｅ１点として回動し太陽パネルＢの上部にＲ６の方向に展開し又、太陽光パネルＣを接続部Ｅ２を支点として回動し太陽パネルＢの下部でＲ７の方向に展開しベランダの壁の外に３つの太陽光パネルＡ、Ｂ，Ｃを垂直に展開する。
【実施例２】
【００２６】
以下、太陽光パネルＡ、Ｂ、Ｃ、Ｄの４つの場合の実施例について述べる。
図１１は、太陽光パネルＡ、Ｂ、Ｃ、Ｄを壁Ｆ２外側の全面に展開した状態を示す。太陽光パネルＡを太陽光パネルＢの裏側のＮ１の方向に折り畳み、太陽光パネルＣを太陽光パネルＢの表側のＮ２の方向に折り畳み、太陽光パネルＤを太陽光パネルＣの裏側のＮ３の方向に折り畳む。太陽光パネルＡ、Ｂ、Ｃと同じように、移動ユニットで水平移動後、下降させてベランダの内部に収納する、太陽光パネルを展開する時も、太陽光パネルＡ、Ｂ、Ｃの時も同様にである。
【００２７】
図１２は、このように太陽光パネルの枚数が変化しても太陽光パネルと同じように展開収納出来る。
【符号の説明】
【００２８】
Ｋ            太陽光パネル収納式架台
Ａ            太陽光パネル  
Ａ１        太陽電池
Ａ２        フレーム      
Ｂ            太陽光パネル
Ｂ１        太陽電池
Ｂ２        フレーム
Ｃ            太陽光パネル
Ｃ１        太陽電池
Ｃ２        フレーム
Ｄ            筐対
Ｄ１        左支柱
Ｄ２        右支柱
Ｅ            接続部
Ｅ１        接続部
Ｅ1１      シャフト
Ｅ１２      取付金具
Ｅ１３      接続モーター
Ｅ１４      取付金具
Ｅ２        接続部
Ｅ２１      シャフト
Ｅ２２      取付金具
Ｅ２３      接続モーター
Ｅ２４      取付金具
Ｓ            移動ユニツト
Ｓ１        垂直移動部
Ｓ１１      昇降移動モーター
Ｓ１２      ギア
Ｓ１３      垂直移動部本体
Ｓ２          水平移動部
Ｓ２０      水平支柱部
Ｓ２１      水平移動モーター
Ｓ２２      ギア
Ｓ２３      水平本体部
Ｓ２３１    水平ガイド
Ｆ１          天井
Ｆ２          壁
Ｆ３          床
Ｇ１          垂直ガイド
Ｎ１        反時計回り折り畳み
Ｎ２        反時計回り折り畳み
Ｎ３        時計回り
Ｐ１        反時計回り
Ｐ２        反時計回り
Ｐ３        太陽パネルＡ、Ｂ，Ｃ上昇
Ｐ４        反時計回り折り畳み
Ｐ５        反時計回り折り畳み
Ｐ６        内側方向
Ｐ７        太陽パネルＡ、Ｂ，Ｃ下降
Ｒ１        太陽パネルＡ、Ｂ，Ｃ上昇    
Ｒ２        外側方向
Ｒ３        時計回り
Ｒ４        時計回り
Ｒ５        太陽パネルＡ、Ｂ，Ｃ下降
Ｒ６        時計回り展開
Ｒ７        時計回り展開
【図１】
2013110240.tif 000003
【図２】
2013110240.tif 000004
【図３】
2013110240.tif 000005
【図４】
2013110240.tif 000006
【図５】
2013110240.tif 000007
【図６】
2013110240.tif 000008
【図７】
2013110240.tif 000009
【図８】
2013110240.tif 000010
【図９】
2013110240.tif 000011
【図１０】
2013110240.tif 000012
【図１１】
2013110240.tif 000013
【図１２】
2013110240.tif 000014
【手続補正書】
【提出日】平成24年4月17日(2012.4.17)
【手続補正１】
【補正対象書類名】明細書
【補正対象項目名】全文
【補正方法】変更
【補正の内容】
【発明の詳細な説明】
【技術分野】
【０００１】
本発明は、太陽光パネルを、ベランダに取り付け収納する架台に関する。
【背景技術】
【０００２】
従来、ベランダに太陽光パネルを取り付ける方法はある。(例えば、特許文献１参照)天井
に取り付けるため太陽光パネルをベランダ全面に備える事が出来ない。
【先行技術文献】
【特許文献】
【０００３】
【特許文献１】特開２０１１−１７３０２１号公報
【発明の概要】
【発明が解決しようとする課題】
【０００４】
従来、太陽光パネルをベランダの天井に取り付ける金物はあるが、天井に取り付けるため
太陽光パネルをベランダ全面に備える事が出来なく、発電量は低かった。
【課題を解決するための手段】
【０００５】
ベランダに、左支柱Ｄ１と右支柱Ｄ２を設けた筐体Ｄと、カスケードに連結された複数の
太陽光パネルと、左支柱Ｄ１と右支柱Ｄ２に沿って垂直移動し、且つ水平方向に太陽光パ
ネルを移動させる移動ユニットＳと、各太陽光パネル間をカスケードに連結させ接続する
接続部を備え、移動ユニットは、左支柱Ｄ１又は右支柱Ｄ２に沿って垂直方向に移動させ
るための駆動部を有する垂直移動部と、連結された複数の太陽光パネルのいずれかに接続
し、連結された太陽光パネルを水平方向に移動させる駆動部を備えた水平移動部からな
り、太陽光パネルを展開するときは連結された太陽光パネルを折り畳んで、壁Ｆ２の内側
の下部に収納した状態から、移動ユニツトＳにより天井の方向に上昇し壁を越えた後、移
動ユニツトＳで水平移動して壁Ｆ２の外側の方向に移動し、太陽光パネルを天井に当らな
いように開き、移動ユニツトＳでベランダの高さの中ほどに下降し、折り畳んだ太陽パネ
ルをベランダの壁の外に複数の太陽光パネルを垂直に展開し、太陽光パネルを収容すると
きはその展開状態から、展開した連結された太陽光パネルを折りたたんで移動ユニツトＳ
が上昇し、連結した太陽パネルが天井に当らないようにし、移動ユニツトＳで天井の方向
に上昇し壁を越え、連結した太陽パネルを折り畳み、折り畳んだ複数の太陽パネルを移動
ユニツトＳで水平移動して壁Ｆ２の内側の方向に壁Ｆ２を越え移動し、折り畳んで連結し
た太陽パネルを移動ユニツトＳで床の方向に降下し壁Ｆ２の下の方に連結した太陽パネル
を収納できるようにしたことを特徴とする太陽光パネル収納式架台である。
【０００６】
ベランダに、左支柱Ｄ１と右支柱Ｄ２を設けた筐体Ｄと、３つの太陽光パネルＡ、Ｂ，Ｃ
と、左支柱Ｄ１と右支柱Ｄ２に沿って垂直移動し、且つ水平方向に太陽光パネルを移動さ
せる移動ユニットＳと、太陽光パネルＡとＢを接続する接続部Ｅ１と、太陽光パネルＢと
Ｃを接続する接続部Ｅ２とを備え、
移動ユニットは、左支柱Ｄ１又は右支柱Ｄ２に沿って垂直方向に移動させるための駆動部
を有する垂直移動部と、太陽光パネルＢを接続され、太陽光パネルＢ及び、それに取り付
けた太陽光パネルＡ，Ｃを水平方向に移動させる駆動部を備えた水平移動部からなり、
太陽光パネルＡとＢを接続する駆動部を組み込み回動できる接続部Ｅ１と、太陽光パネル
ＢとＣを接続する駆動部を組み込み回動できる接続部Ｅ２を備え、
太陽パネルＡ，Ｂ，Ｃを折り畳んで、壁Ｆ２の内側の下部に収納した状態から、移動ユニ
ツトＳにより天井の方向に上昇し壁を越えた後、移動ユニツトＳで水平移動して壁Ｆ２の
外側の方向に移動し、太陽光パネルＡを壁Ｆ２内側の方向に接続部Ｅ１を支点として太陽
パネルＡを開いたとき天井に当らないように回動し太陽光パネルＢの裏側から開き、太陽
パネルＣを壁Ｆ２内側の方向に接続部Ｅ２を支点として回動し、太陽光パネルＢの表側で
開いた状態で、移動ユニツトＳでベランダの高さの中ほどに下降し太陽パネルＡを接続部
Ｅ１を支点として回動し太陽パネルＢの上部の方向に垂直に展開し、太陽光パネルＣを接
続部Ｅ２を支点として回動し太陽パネルＢの下部の方向に垂直に展開してベランダの壁の
外に太陽光パネルＡ、Ｂ，Ｃを垂直に展開でき、
その展開状態から、太陽光パネルＡを接続部Ｅ１を支点として回動し太陽パネルＢの裏側
の方向に壁Ｆ２の内側に当らないように折り畳み、
下段太陽光パネルＣを接続部Ｅ２を支点として回動し太陽パネルＢの正面に折り畳み、  
移動ユニツトＳが上昇した時太陽パネルＡが天井に当らないようにし、移動ユニツトＳで
天井の方向に上昇し壁を越えた後、太陽パネルＡを接続部Ｅ１を支点として回動し太陽パ
ネルＢの裏側に折り畳み、太陽パネルＣを接続部Ｅ２を支点として回動し太陽パネルＢの
表側に折り畳み、折り畳んだ太陽パネルＡ，Ｂ，Ｃを移動ユニツトＳで水平移動して壁Ｆ
２の内側の方向に壁Ｆ２を越え移動し、太陽パネルＡ，Ｂ，Ｃを移動ユニツトＳで床の方
向に降下し壁Ｆ２の下の方に太陽パネルＡ，Ｂ，Ｃを収納できるようにしたことを特徴と
する太陽光パネル収納式架台。
【発明の効果】
【０００７】
１)集合住宅のベランダの壁の外側の全面に太陽光パネルを取り付けることができるので
発電効率が高い。
２)ベランダの壁の外側に展開して太陽電池パネルを、ベランダの壁の内側に、完全に収
納する事が出来る。台風などの悪天候で被害をうけることがなくなる。
３)収納式架台にする事により取り付け工事が簡単になりベランダ内側で工事が施工出来
るので安全対策費が安価ですむ。
４)収納式架台にする事により点検補修、清掃が簡単に出来る。
【図面の簡単な説明】
【０００８】
【図１】本発明の太陽光パネル収納式架台の構成(全面展開正面図)
【図２】本発明の太陽光パネル収納式架台の構成(折り畳み収納図)
【図３】本発明の太陽光パネル収納式架台の移動ユニットの構成
【図４】本発明の太陽光パネル収納式架台の移動ユニット接続部の構成
【図５】本発明の太陽光パネル収納式架台の構成(全面展開側面図)
【図６】本発明の太陽光パネル収納式架台の動作(太陽パネルＡ，Ｃの折りこみ)
【図７】本発明の太陽光パネル収納式架台の動作(太陽パネルＡ，Ｂ、Ｃの上昇図)
【図８】本発明の太陽光パネル収納式架台の動作(パネルＡ，Ｃの折り畳み図)
【図９】本発明の太陽光パネル収納式架台の動作(パネルＡ，Ｂ，Ｃの移動図)
【図１０】本発明の太陽光パネル収納式架台の動作(パネルＡ，Ｂ，Ｃの収納図)
【図１１】太陽光パネルＡ、Ｂ、Ｃ、Ｄの収納式架台の構成(全面展開側面図)
【図１２】太陽光パネルＡ、Ｂ、Ｃ、Ｄの収納式架台の構成(折り畳み収納側面図)
【発明を実施するための形態】
【０００９】
太陽光パネルをベランダ内部に収納出来る構造を備える事により、昼間、太陽が降り注ぐ
時はベランダの外部の全面に展開して発電し電気を得る事ができ、ベランダ内部で洗濯も
のを干す事ができる。夜になるとベランダ内部に収納し夜景を眺める事が出来、台風、暴
風、雨の時もベランダ内部に収納することで太陽パネルを保護し太陽光パネルの落下や破
損を無くし安全を確保できる。
以下、駆動部は、モーター又は、人手によるマニュアルにより駆動する場合を示すが、モーター駆動の場合を主に示す。
【００１０】
本発明の太陽光パネルの収納式架台の基本動作を説明する。
ベランダに、左支柱Ｄ１と右支柱Ｄ２を設けた筐体Ｄと、カスケードに連結された複数の
太陽光パネルと、左支柱Ｄ１と右支柱Ｄ２に沿って垂直移動し、且つ水平方向に太陽光パ
ネルを移動させる移動ユニットＳと、各太陽光パネル間を連結させ接続する接続部を備え
、移動ユニットは、左支柱Ｄ１又は右支柱Ｄ２に沿って垂直方向に移動させるための駆動部を有する垂直移動部と、カスケードに連結された複数の太陽光パネルのいずれかに接続され、連結された太陽光パネルを水平方向に移動させる駆動部を備えた水平移動部からな
り、連結された太陽光パネルを折り畳んで、壁Ｆ２の内側の下部に収納した状態から移動
ユニツトＳにより天井の方向に上昇し壁を越えた後、移動ユニツトＳで水平移動して壁Ｆ
２の外側の方向に移動し、太陽光パネルを天井に当らないように展開し又は折り畳みなが
ら移動ユニツトＳでベランダの高さの中ほどに下降し、折り畳んだ太陽パネルをベランダ
の壁の外に複数の太陽光パネルを垂直に展開しその展開状態から、展開したカスケードに連結された太陽光パネルを折りこんで移動ユニツトＳが上昇した時、連結した太陽パネルが天井に当らないようにし、移動ユニツトＳで天井の方向に上昇し壁を越えた後、太陽パネルを折り畳みながら又は折り畳んだ複数の太陽パネルを移動ユニツトＳで水平移動して壁Ｆ２の内側の方向に壁Ｆ２を越え移動し、折り畳んで連結した太陽パネルを移動ユニツトＳで床の方向に降下し壁Ｆ２の下の方に連結した太陽パネルを収納できるようにしたことを特徴とする太陽光パネル収納式架台である。
【００１１】
以下、本発明の太陽光パネルがＡ、Ｂ、Ｃの３つである場合について展開、収納を電動で
動作させる場合について説明する。
図１、２は本発明の太陽光パネル収納式架台（太陽光パネルの数が３個のとき）の構成を
示す。
ベランダの壁の外に３つの太陽光パネルＡ、Ｂ、Ｃを展開し、壁の内側に３つの太陽光パ
ネルＡ、Ｂ，Ｃを収容するための太陽光パネル収納式架台Ｋである。
ベランダに、左支柱Ｄ１と右支柱Ｄ２を設けた筐体Ｄと、３つの太陽光パネルＡ、Ｂ，Ｃ
と、その左支柱Ｄ１と右支柱Ｄ２に沿って垂直移動し、且つ水平方向に太陽光パネルを移
動させる移動ユニットＳと、太陽光パネルＡとＢを接続する接続部Ｅ１と、太陽光パネル
ＢとＣを接続する接続部Ｅ２とを備える。
移動ユニットは、左支柱Ｄ１又は右支柱Ｄ２に沿って垂直方向に移動させるための駆動部
を有する垂直移動部と、太陽電光パネルＢに接続され、太陽光パネルＢ及び、それに取り
付けた太陽光パネルＡ，Ｃを水平方向に移動させる駆動部を備えた水平移動部からなる
。
太陽光パネルＡとＢを接続する接続部Ｅ１と、太陽光パネルＢとＣを接続する接続部Ｅ２
には、夫々駆動部を組み込み回動できる。
図２は、３つの太陽光パネルをベランダの壁の内側ベランダの壁の内側に、太陽光パネル
をＣ、Ｂ、Ａの順に折り畳んだ状態を示す。このように折り畳んで、収納することでベラ
ンダを広く使えるようにしている。
上述した移動ユニットＳの垂直方向と水平方向の移動と、接続部Ｅ１と接続部Ｅ２を支点
とする太陽光パネルの回動を制御することにより、図１に示すように太陽光パネルを展開
した状態から、図２に示す状態に折り畳んで壁の内側に収納し、逆の順番で、図２の折り
畳んで壁の内側に収納した状態から、図１に示すように太陽光パネルを展開できる。
【００１２】
図３は、太陽光パネル収納式架台の移動ユニットの構成を示す。
移動ユニットＳは、左支柱Ｄ１又は右支柱Ｄ２に沿って垂直方向に移動させるためのモー
タを有する垂直移動部Ｓ１と、太陽光パネルＢを接続され、太陽光パネルＢを水平方向に
移動させる駆動部を備えた水平移動部Ｓ２からなる。
垂直移動部は、筒体Ｄの支柱Ｄ１、Ｄ２を貫通した四角上の筒型である垂直移動部本体Ｓ
１３その外側に昇降移動駆動部Ｓ１１、内側にギアＳ１２が内臓されている。昇降移動モ
ータＳ１１を駆動すると、ギアーＳ１２が回転し、支柱に取り付けた垂直ガイドＧ1に噛
み合って上昇、下降する。
水平移動部Ｓ２は、垂直移動部本体Ｓ１３の途中から水平方向に伸びた四角状の筒型であ
る水平本体部Ｓ２３とそれに内接して水平に移動する水平支柱部Ｓ２０からなる。水平支
柱部の外側の端部は太陽光パネルＢのフレームに固定している、水平支柱部Ｓ２０は四角
状の筒体で水平本体部Ｓ２３で水平移動駆動部Ｓ２１をギアＳ２２と、水平ガイドＳ２３
１を備える。水平移動駆動部Ｓ２１によりギアＳ２２が駆動し、ギアが水平ガイドＳ２３
１に噛み合って水平支持部Ｓ２０が水平方向に移動する。水平支柱部Ｓ２０の端部には、
太陽光パネルに固定している。
昇降移動駆動部Ｓ１を駆動すると、太陽光パネルＡ、Ｂ、Ｃを垂直シャフトＧ１にそっ
て上昇下降し、水平移動駆動部Ｓ２を駆動すると、太陽光パネルＡ，Ｂ，Ｃを水平シャ
フトＧ２にそって水平方向に移動する。
【００１３】
図４は接続部の構成を示す。
(ａ)裏側から見た図、(ｂ)側面図を示す。
接続部Ｅ１は、接続駆動部Ｅ１３、駆動部シャフトＥ１１、取付金具Ｅ１２からなり、シ
ャフトＥ１１が太陽光パネルＡに取付金具Ｅ１４により固定され、太陽光パネルＢにモー
タＥ１３が取付金具Ｅ１２により固定される。駆動部Ｅ１３が駆動されると、駆動部シャ
フトが回転し、パネルＡがパネルＢの裏側の方向に反時計まわりに回転する。
接続部Ｅ２は、接続駆動部Ｅ２３、駆動部シャフトＥ２１、取付金具Ｅ２２からなりシャ
フトＥ２１が太陽光パネルＣに接続金具２４により固定され、取付金具Ｅ２２で、パネル
Ｂに駆動部Ｅ２３を固定する。駆動部Ｅ２３が駆動されると、駆動部シャフトが回転し、
パネルＣがパネルＢの表側の方向に反時計まわりに回転する。
【実施例１】
【００１４】
以下、太陽光パネルＡ、Ｂ、Ｃの３つの場合の実施例について述べる。
太陽光パネルＡ、Ｂ、Ｃ、の収納状態から展開する動作概要を説明する。
太陽パネルＡ、Ｂ、Ｃを折り畳み壁Ｆ２の内側の下部に収納した状態から、太陽パネルＡ
，Ｂ，Ｃを移動ユニツトＳにより天井の方向に上昇し壁を越えた位置で停止させ移動ユニ
ツトＳで水平移動して壁Ｆ２の外側の方向に移動し太陽光パネルＡを壁Ｆ２内側の方向に
接続部をＥ１支点として天井に当らないように回動して太陽光パネルＢの裏側で開き、太
陽パネルＣを壁Ｆ２内側の方向に接続部をＥ２支点として回動し太陽光パネルＢの表側で
開いた状態で、太陽光パネルＡ、Ｂ，Ｃを移動ユニツトＳでベランダの高さの中ほどに下
降させ太陽光パネルＢの上部の方向に垂直に太光陽パネルＡを展開し、下段太陽光パネル
Ｃを接続部Ｅ２を支点として回動させ太陽パネルＢの下部の方向に垂直に展開し、ベラン
ダの壁の外に３つの太陽光パネルＡ、Ｂ，Ｃを垂直に展開する。
太陽光パネルＡ、Ｂ、Ｃ、の展開状態から収納する動作概略を説明する。
太陽光パネルＡ、Ｂ，Ｃをベランダの開口部と壁の全面に展開しているときは、太陽光パ
ネルＡ、Ｂ，Ｃは垂直に直線状に接続部，Ｅ１、Ｅ２で固定されている。その状態におい
て太陽光パネルＡを接続部Ｅ１を支点として回動し太陽パネルＢの裏側の方向に壁Ｆ２の
内側に当らないように折りこみ下段太陽光パネルＣを接続部Ｅ２を支点として回動し太陽
パネルＢの正面に折りこみ、移動ユニツトＳが上昇した時太陽パネルＡが天井に当らない
ようにし太陽パネルＡ、Ｂ，Ｃを移動ユニツトＳで天井の方向に上昇し壁を越えた位置で
停止し太陽パネルＡを接続部Ｅ１を支点として回動し太陽パネルＢの裏側に折り畳み、太
陽パネルＣを接続部Ｅ２を支点として回動し太陽パネルＢの表側に折り畳み、折り畳んだ
太陽パネルＡ，Ｂ，Ｃを移動ユニツトＳで水平移動して壁Ｆ２の内側の方向に壁Ｆ２を越
え移動し、太陽パネルＡ，Ｂ，Ｃを移動ユニツトＳで床の方向に降下し壁Ｆ２の下の方に
太陽パネルＡ，Ｂ，Ｃを収納する。
【００１５】
図５から図１０は、３つの太陽電池パネルをベランダの開口部のベランダの壁Ｆ２の外側
に全面に展開した状態から、ベランダの壁Ｆ２の内側に収容するための本発明の太陽光パ
ネル収納式架台の詳細の動作を示す。図５は折り畳む前の側面図、図６は、上段太陽光パ
ネルＡ，下段太陽光パネルＣの折り畳み動作、図７は太陽光パネルＡ，Ｂ，Ｃの上昇、図
８は太陽光パネルＡ、Ｃの折り畳み、図９は太陽光パネルＡ，Ｂ，Ｃの移動、図１０は太
陽光パネルＡ，Ｂ，Ｃの下降によりベランダ内部に収納した状態を示す。
【００１６】
図５は、３つの太陽パンネルＡ、Ｂ，Ｃが展開された状態の側面図である。
太陽光パネルＡ、Ｂ，Ｃはベランダの開口部の全面に、夫々、上段、中段、下段に配置さ
れる。太陽光パネルＡと太陽光パネルＢは接続部Ｅ１で連結され、太陽光パネルＢと太陽
光パネルＣ接続部でＥ２連結されている。図５のように太陽光パネルＡ、Ｂ，Ｃをベラン
ダの開口部と壁の全面に展開しているときは、太陽光パネルＡ、Ｂ，Ｃは垂直に直線状に
接続部Ｅ１、Ｅ２で垂直に固定され、移動ユニツトＳの水平支持部Ｓ３により太陽光パネ
ルＢを垂直に支えて固定する。
【００１７】
図６は、太陽光パネルＡを接続部Ｅ１を支点として反時計まわりにＰ２の方向に、太陽光
パネルＣを接続部Ｅ２を支点として反時計まわりにＰ１の方向に回動し太陽パネルＢに折
りこんだ状態を示す。このように折り畳むのは、次の述べるように壁を乗り越えるために
上昇移動させる時に天井に当らないようにするためである。
【００１８】
図７は、太陽パネルＡ、Ｂ，Ｃを移動ユニツトＳに内蔵した昇降駆動部Ｓ１でＰ３の方
向に垂直ガイドＧ１にそって上昇する。
【００１９】
図８は、上昇し太陽パネルＡを接続部Ｅ１を支点として回動し太陽パネルＢの裏側にＰ４
の方向に折り畳み、太陽パネルＣを接続部Ｅ２を支点として回動し太陽パネルＢの表側に
Ｐ５の方向に折り畳む。
【００２０】
図９は、折り畳んだ太陽パネルＡ，Ｂ，Ｃを移動ユニツトＳに接続した水平移動駆動部
Ｓ２で壁Ｆ２の内側の方向にＰ６の方向に水平ガイドＳ２３１に沿ってベランダの壁を越
えてベランダ窓側に横移動させる。
【００２１】
図１０は、折り畳み壁Ｆ２の内側の方向に横移動した太陽パネルＡ，Ｂ，Ｃを移動ユニツ
トＳに接続した昇降移動駆動部Ｓ１で垂直ガイドＧ１そってＰ７の方向に降下し壁Ｆ２
下部の方向に収納した状態である。
【００２２】
以上は、太陽光パネルを収納するステップを示したが、次に太陽光パネルを展開する動作
を示す。
図１０において壁Ｆ２の内側の下部に収納した太陽パネルＡ，Ｂ，Ｃを移動ユニツトＳに
接続した昇降移動駆動部Ｓ１で垂直ガイドＧ１を利用してＲ１の方向に上昇し図９のよ
うに壁を越えた位置で停止させる。
【００２３】
次は、太陽パネルＡ，Ｂ，Ｃを移動ユニツトＳに接続した水平移動駆動部Ｓ２で壁Ｆ２
の外側にＲ２の方向に水平ガイドＧ２にそって水平支柱部Ｓ２０を右方向に壁を越えるま
で図８のように伸ばす。
【００２４】
壁を横移動した太陽パネルＡを図７のようにＲ３の方向に接続部Ｅ１を支点として回動し
、太陽パネルＢの裏側で天井に当らないように開き、太陽パネルＣをＲ４の方向に接続部
Ｅ２を支点として回動し、太陽パネルＢの表側で開いた状態で太陽パネルＡ、Ｂ，Ｃを移
動ユニツトＳに内蔵した昇降移動駆動部Ｓ１でＲ５の方向に垂直ガイドＧ１にそって下
降させる。
【００２５】
図６のＲ５の方向にシャフトガイドＧ１にそって下降し停止した太陽パネルＡ，を接続部
を支Ｅ１点として回動し太陽パネルＢの上部にＲ６の方向に展開し又、太陽光パネルＣを
接続部Ｅ２を支点として回動し太陽パネルＢの下部でＲ７の方向に展開しベランダの壁の
外に３つの太陽光パネルＡ、Ｂ，Ｃを垂直に展開する。
【実施例２】
【００２６】
以下、太陽光パネルＡ、Ｂ、Ｃ、Ｄの４つの場合の実施例について述べる。
図１１は、太陽光パネルＡ、Ｂ、Ｃ、Ｄを壁Ｆ２外側の全面に展開した状態を示す。太陽
光パネルＡを太陽光パネルＢの裏側のＮ１の方向に折り畳み、太陽光パネルＣを太陽光パ
ネルＢの表側のＮ２の方向に折り畳み、太陽光パネルＤを太陽光パネルＣの裏側のＮ３の
方向に折り畳む。太陽光パネルＡ、Ｂ、Ｃと同じように、移動ユニットで水平移動後、下
降させてベランダの内部に収納する、太陽光パネルを展開する時も、太陽光パネルＡ、Ｂ
、Ｃの時も同様にである。
【００２７】
図１２は、このように太陽光パネルの枚数が変化しても太陽光パネルと同じように展開収
納出来る。
【符号の説明】
【００２８】
Ｋ            太陽光パネル収納式架台
Ａ            太陽光パネル  
Ａ１        太陽電池
Ａ２        フレーム      
Ｂ            太陽光パネル
Ｂ１        太陽電池
Ｂ２        フレーム
Ｃ            太陽光パネル
Ｃ１        太陽電池
Ｃ２        フレーム
Ｄ            筐対
Ｄ１        左支柱
Ｄ２        右支柱
Ｅ            接続部
Ｅ１        接続部
Ｅ1１      シャフト
Ｅ１２      取付金具
Ｅ１３      接続駆動部
Ｅ１４      取付金具
Ｅ２        接続部
Ｅ２１      シャフト
Ｅ２２      取付金具
Ｅ２３      接続駆動部
Ｅ２４      取付金具
Ｓ            移動ユニツト
Ｓ１        垂直移動部
Ｓ１１      昇降移動駆動部
Ｓ１２      ギア
Ｓ１３      垂直移動部本体
Ｓ２          水平移動部
Ｓ２０      水平支柱部
Ｓ２１      水平移動駆動部
Ｓ２２      ギア
Ｓ２３      水平本体部
Ｓ２３１    水平ガイド
Ｆ１          天井
Ｆ２          壁
Ｆ３          床
Ｇ１          垂直ガイド
Ｎ１        反時計回り折り畳み
Ｎ２        反時計回り折り畳み
Ｎ３        時計回り
Ｐ１        反時計回り
Ｐ２        反時計回り
Ｐ３        太陽パネルＡ、Ｂ，Ｃ上昇
Ｐ４        反時計回り折り畳み
Ｐ５        反時計回り折り畳み
Ｐ６        内側方向
Ｐ７        太陽パネルＡ、Ｂ，Ｃ下降
Ｒ１        太陽パネルＡ、Ｂ，Ｃ上昇    
Ｒ２        外側方向
Ｒ３        時計回り
Ｒ４        時計回り
Ｒ５        太陽パネルＡ、Ｂ，Ｃ下降
Ｒ６        時計回り展開
Ｒ７        時計回り展開
【手続補正２】
【補正対象書類名】特許請求の範囲
【補正対象項目名】全文
【補正方法】変更
【補正の内容】
【特許請求の範囲】
【請求項１】
ベランダに、左支柱Ｄ１と右支柱Ｄ２を設けた筐体Ｄと、カスケードに連結された複数の
太陽光パネルと、左支柱Ｄ１と右支柱Ｄ２に沿って垂直移動し、且つ水平方向に太陽光パ
ネルを移動させる移動ユニットＳと、各太陽光パネル間をカスケードに連結させ接続する
接続部を備え、移動ユニットは、左支柱Ｄ１又は右支柱Ｄ２に沿って垂直方向に移動させ
るための駆動部を有する垂直移動部と、連結された複数の太陽光パネルのいずれかに接続
し、連結された太陽光パネルを水平方向に移動させる駆動部を備えた水平移動部からなり、太陽光パネルを展開するときは連結された太陽光パネルを折り畳んで、壁Ｆ２の内側
の下部に収納した状態から、移動ユニツトＳにより天井の方向に上昇し壁を越えた後、移
動ユニツトＳで水平移動して壁Ｆ２の外側の方向に移動し、太陽光パネルを天井に当らな
いように開き、移動ユニツトＳでベランダの高さの中ほどに下降し、折り畳んだ太陽パネ
ルをベランダの壁の外に複数の太陽光パネルを垂直に展開し、太陽光パネルを収容すると
き、その展開状態から、展開した連結された太陽光パネルを折りたたんで移動ユニツトＳ
を上昇させ、連結した太陽パネルが天井に当らないようにし、移動ユニツトＳで天井の方
向に上昇し壁を越え、連結した太陽パネルを折り畳み、折り畳んだ複数の太陽パネルを移
動ユニツトＳで水平移動して壁Ｆ２の内側の方向に壁Ｆ２を越え移動し、折り畳んで連結
した太陽パネルを移動ユニツトＳで床の方向に降下し壁Ｆ２の下の方に連結した太陽パネ
ルを収納できるようにしたことを特徴とする太陽光パネル収納式架台。
【請求項２】
ベランダに、左支柱Ｄ１と右支柱Ｄ２を設けた筐体Ｄと、３つの太陽光パネルＡ、Ｂ，Ｃ
と、左支柱Ｄ１と右支柱Ｄ２に沿って垂直移動し、且つ水平方向に太陽光パネルを移動さ
せる移動ユニットＳと、太陽光パネルＡとＢを接続する接続部Ｅ１と、太陽光パネルＢと
Ｃを接続する接続部Ｅ２とを備え、
移動ユニットは、左支柱Ｄ１又は右支柱Ｄ２に沿って垂直方向に移動させるための駆動部
を有する垂直移動部と、太陽光パネルＢを接続され、太陽光パネルＢ及び、それに取り付
けた太陽光パネルＡ，Ｃを水平方向に移動させる駆動部を備えた水平移動部からなり、
太陽光パネルＡとＢを接続する駆動部を組み込み回動できる接続部Ｅ１と、太陽光パネル
ＢとＣを接続する駆動部を組み込み回動できる接続部Ｅ２を備え、
太陽パネルＡ，Ｂ，Ｃを折り畳んで、壁Ｆ２の内側の下部に収納した状態から、移動ユニ
ツトＳにより天井の方向に上昇し壁を越えた後、移動ユニツトＳで水平移動して壁Ｆ２の
外側の方向に移動し、太陽光パネルＡを壁Ｆ２内側の方向に接続部Ｅ１を支点として太陽
パネルＡを開いたとき天井に当らないように回動し太陽光パネルＢの裏側から開き、太陽
パネルＣを壁Ｆ２内側の方向に接続部Ｅ２を支点として回動し、太陽光パネルＢの表側で
開いた状態で、移動ユニツトＳでベランダの高さの中ほどに下降し太陽パネルＡを接続部
Ｅ１を支点として回動し太陽パネルＢの上部の方向に垂直に展開し、太陽光パネルＣを接
続部Ｅ２を支点として回動し太陽パネルＢの下部の方向に垂直に展開してベランダの壁の
外に太陽光パネルＡ、Ｂ，Ｃを垂直に展開でき、
その展開状態から、太陽光パネルＡを接続部Ｅ１を支点として回動し太陽パネルＢの裏側
の方向に壁Ｆ２の内側に当らないように折り畳み、
下段太陽光パネルＣを接続部Ｅ２を支点として回動し太陽パネルＢの正面に折り畳み、  
移動ユニツトＳが上昇した時太陽パネルＡが天井に当らないようにし、移動ユニツトＳで
天井の方向に上昇し壁を越えた後、太陽パネルＡを接続部Ｅ１を支点として回動し太陽パ
ネルＢの裏側に折り畳み、太陽パネルＣを接続部Ｅ２を支点として回動し太陽パネルＢの
表側に折り畳み、折り畳んだ太陽パネルＡ，Ｂ，Ｃを移動ユニツトＳで水平移動して壁Ｆ
２の内側の方向に壁Ｆ２を越え移動し、太陽パネルＡ，Ｂ，Ｃを移動ユニツトＳで床の方
向に降下し壁Ｆ２の下の方に太陽パネルＡ，Ｂ，Ｃを収納できるようにしたことを特徴と
する太陽光パネル収納式架台。